(57)【要約】【課題】拡散板から正立像形成光学系の第三反射面を介することなく正立像形成光学系のダハ面に入射し反射されたゴースト光に起因するゴーストの発生を抑えることが難しい。【解決手段】被写体像が結像される拡散板と、第三反射面を含む複数の反射面を有しており、拡散板からの光束を各反射面で反射させることによって正立像に変換して接眼光学系に導く正立像形成光学系とを備えるファインダ装置であって、第三反射面を、有効領域外の少なくとも一部が光束を実質的に反射しない非反射部を持つ構成とする。【選択図】図１
2017191221.tif 000002
【特許請求の範囲】
【請求項１】
被写体像が結像される拡散板と、
第三反射面を含む複数の反射面を有しており、前記拡散板からの光束を各反射面で反射させることによって正立像に変換して接眼光学系に導く正立像形成光学系と、
を備え、
前記第三反射面は、
有効領域外の少なくとも一部が前記光束を実質的に反射しない非反射部となっている、
ファインダ装置。
【請求項２】
前記非反射部は、
塗装により前記光束の反射率が低下されている、
請求項１に記載のファインダ装置。
【請求項３】
前記非反射部は、
スリ加工されている、
請求項１又は請求項２に記載のファインダ装置。
【請求項４】
前記非反射部は、
前記第三反射面の有効領域に対して所定の角度をなした面となっている、
請求項２又は請求項３に記載のファインダ装置。
【請求項５】
前記非反射部は、
前記拡散板からの光束が入射される入射面と前記第三反射面との稜線を含む、前記有効領域外の少なくとも一部が切削加工されることにより、該第三反射面の有効領域に対して所定の角度をなした面となっている、
請求項４に記載のファインダ装置。
【請求項６】
前記入射面に入射される光束を規制する開口部材が前記拡散板と該入射面との間に設置されており、
前記非反射部は、
光軸と直交する方向において、前記開口部材の開口縁よりも該光軸から離れて位置する、
請求項５に記載のファインダ装置。
【発明の詳細な説明】
【技術分野】
【０００１】
本発明は、ファインダ装置に関する。
【背景技術】
【０００２】
一眼レフカメラ等の撮影装置にファインダ装置が搭載されている。例えば特許文献１に、この種のファインダ装置の具体的構成が記載されている。
【０００３】
特許文献１では、ゴーストの発生原因として、ファインダスクリーン（拡散板）とペンタミラーとの間に配置された拡散型液晶表示パネルから射出された拡散光を挙げている。具体的には、この拡散光は、第三反射面に直接入射し反射された後にダハミラー面にて反射され、第三反射面にて再度反射されて接眼光学系に導かれる。これにより、ファインダ視野枠の上部外側領域に、拡散光に起因するゴーストが発生する。特許文献１に記載のファインダ装置では、上記の拡散光に起因するゴーストの発生を抑えるため、パネル領域の一部にシール材を設けている。
【先行技術文献】
【特許文献】
【０００４】
【特許文献１】特開２００４−２１２７９２号公報
【発明の概要】
【発明が解決しようとする課題】
【０００５】
しかし、ゴーストの発生原因は、上記の拡散光に限らない。本発明者は、鋭意検討を重ねた結果、拡散板から第三反射面を介することなくダハ面に入射し反射された光の中にもゴーストの発生原因があるとの知見を得た。この種の光（説明の便宜上「ゴースト光」と記す。）は、パネル領域に設けられたシール材で遮蔽することができない。そのため、特許文献１に記載の構成では、このゴースト光の発生を抑えることができない。
【０００６】
本発明は上記の事情に鑑みてなされたものであり、その目的とするところは、拡散板から第三反射面を介することなくダハ面に入射し反射されたゴースト光に起因するゴーストの発生を抑えるのに好適なファインダ装置を提供することである。
【課題を解決するための手段】
【０００７】
本発明の一実施形態に係るファインダ装置は、被写体像が結像される拡散板と、第三反射面を含む複数の反射面を有しており、拡散板からの光束を各反射面で反射させることによって正立像に変換して接眼光学系に導く正立像形成光学系とを備えている。正立像形成光学系の第三反射面は、有効領域外の少なくとも一部が光束を実質的に反射しない非反射部となっている。
【０００８】
また、本発明の一実施形態において、正立像形成光学系の非反射部は、例えば、塗装により光束の反射率が低下されている。
【０００９】
また、本発明の一実施形態において、正立像形成光学系の非反射部は、例えば、スリ加工されている。
【００１０】
また、本発明の一実施形態において、正立像形成光学系の非反射部は、例えば、第三反射面の有効領域に対して所定の角度をなした面となっている。
【００１１】
また、本発明の一実施形態において、正立像形成光学系の非反射部は、例えば、拡散板からの光束が入射される入射面と第三反射面との稜線を含む、有効領域外の少なくとも一部が切削加工されることにより、該第三反射面の有効領域に対して所定の角度をなした面となっている。
【００１２】
また、本発明の一実施形態に係るファインダ装置は、正立像形成光学系の入射面に入射される光束を規制する開口部材が拡散板と該入射面との間に設置された構成としてもよい。この構成において、非反射部は、光軸と直交する方向において、開口部材の開口縁よりも該光軸から離れて位置する。
【発明の効果】
【００１３】
本発明の一実施形態によれば、拡散板から第三反射面を介することなくダハ面に入射し反射されたゴースト光に起因するゴーストの発生を抑えるのに好適なファインダ装置が提供される。
【図面の簡単な説明】
【００１４】
【図１】本発明の一実施形態に係るファインダ装置の構成を示す断面図である。
【図２】本発明の一実施形態に係るファインダ装置に備えられるペンタプリズムの正面図（図２（ａ））及び側面図（図２（ｂ））である
【図３】ファインダ視野に写る情報を示す図である。
【発明を実施するための形態】
【００１５】
以下、本発明の一実施形態に係るファインダ装置について図面を参照しながら説明する。以下においては、本発明の一実施形態として、一眼レフカメラに搭載されるファインダ装置について説明する。
【００１６】
図１（ａ）は、本発明の一実施形態に係るファインダ装置１の構成を示す断面図（光軸ＡＸを含む中央断面図）である。図１（ａ）に示されるように、ファインダ装置１は、拡散板（フォーカシングスクリーン又はピント板）１１、透過型液晶モジュール１２、ＤＩＳＴ補正レンズ１３、ペンタプリズム（ペンタゴナルダハプリズム）１４、接眼部１５、ファインダ内表示用モジュール１６、測光モジュール１７、マスク１８を備えている。
【００１７】
被写体光束の一部がファインダ装置１の下方に設置されたメインミラー（不図示）にて反射されて、拡散板１１に入射される。拡散板１１は、一眼レフカメラに搭載されているイメージセンサの撮像面と等価な位置に配置されている。そのため、拡散板１１には、カメラボディに接続された撮影レンズを通過した被写体光束が結像する。
【００１８】
拡散板１１より射出された光束は、透過型液晶モジュール１２及びＤＩＳＴ補正レンズ１３を介してペンタプリズム１４の入射面１４ａに入射される。透過型液晶モジュール１２は、ＡＦ（Autofocus）フレームやスポット測光フレーム等の各種情報をファインダ視野内に表示させるためのモジュールである。ＤＩＳＴ補正レンズ１３は、接眼部１５が有する接眼光学系のディストーションを補正するためのレンズである。
【００１９】
図２（ａ）、図２（ｂ）は、それぞれ、ペンタプリズム１４の正面図、側面図である。図２に示されるように、ペンタプリズム１４は、入射面１４ａ以外に、ダハ面（第一反射面）１４ｂ、ダハ面（第二反射面）１４ｃ、第三反射面１４ｄ及び射出面１４ｅを有している。図１（ａ）に示されるように、入射面１４ａよりペンタプリズム１４内部に入射された光束は、ダハ面（第一反射面）１４ｂ、ダハ面（第二反射面）１４ｃ、第三反射面１４ｄにて順に反射されることによって正立像に変換されて、射出面１４ｅより射出される。射出面１４ｅより射出された光束は、接眼部１５が有する接眼光学系に入射される。
【００２０】
接眼光学系は、レンズ保持枠１５ｅによって保持されており、前玉レンズ１５ａ、中玉レンズ１５ｂ、後玉レンズ１５ｃ及びカバーガラス１５ｄを有している。接眼光学系は、拡散板１１上に結像されてペンタプリズム１４により正立化された被写体像を、撮影者の観察に適する像に形成する。これにより、撮影者は、接眼光学系（カバーガラス１５ｄ）を覗くことで被写体像を観察することができる。
【００２１】
図３（ａ）は、ファインダ視野に写る情報を示す図である。図３（ａ）に示されるように、ファインダ視野１００内には被写体像が表示される。また、透過型液晶モジュール１２により生成された各種情報１１０がファインダ視野１００内の被写体像に重ねて表示される。
【００２２】
図１（ａ）に示されるように、ファインダ内表示用モジュール１６は、第三反射面１４ｄ上に取り付けられており、ＬＣＤ（Liquid Crystal Display）モジュール１６ａ、拡大レンズ１６ｂ及びプリズム１６ｃを有している。ＬＣＤモジュール１６ａより射出された光束は、拡大レンズ１６ｂにて拡大された後、プリズム１６ｃにて折り曲げられて第三反射面１４ｄよりペンタプリズム１４内部に入射される。ペンタプリズム１４内部に入射された光束は、射出面１４ｅより射出されて、接眼部１５が有する接眼光学系を透過する。これにより、図３（ａ）に示されるように、Ｆ値やＩＳＯ感度等の各種情報１２０がファインダ視野１００外に表示される。
【００２３】
図１（ａ）に示されるように、測光モジュール１７は、射出面１４ｅ上に取り付けられており、測光センサ１７ａ及び測光レンズ１７ｂを有している。測光センサ１７ａは、測光レンズ１７ｂ、ペンタプリズム１４、ＤＩＳＴ補正レンズ１３、透過型液晶モジュール１２を介して拡散板１１を透過する光線をセンシングすることにより、測光情報を取得する。
【００２４】
ここで、入射面１４ａよりペンタプリズム１４内部に入射された後、第三反射面１４ｄを介することなくダハ面（第一反射面）１４ｂに入射し反射された光束の中にも、正規光でなくゴースト光となるものがある。具体的には、ダハ面（第一反射面）１４ｂ、ダハ面（第二反射面）１４ｃ、第三反射面１４ｄを順に反射した光束の一部が入射面１４ａにて反射されてゴースト光となる。このゴースト光により、倒立逆像がファインダ視野１００外（より詳細には、各種情報１２０の下方）にゴーストとして写る。
【００２５】
本実施形態では、ゴースト光に起因するゴーストの発生を抑えるため、第三反射面１４ｄの一部が光を実質的に反射しない非反射部（非反射面１４ｄＡ）として構成されている。図１（ｂ）は、図１（ａ）のＡ部の拡大図であり、非反射面１４ｄＡ周辺を拡大して示している。
【００２６】
図１（ｂ）に示されるように、第三反射面１４ｄは、入射面１４ａと第三反射面１４ｄ（切削加工前）との稜線を含む、第三反射面１４ｄの有効領域外の少なくとも一部が切削加工されている。切削加工後の切削加工面は、スリ加工が施されることにより、散乱反射によって接眼光学系に到達する光量を低減させると共に、黒塗装が施されることにより、光を吸収する面となっている。すなわち、切削加工面は、スリ加工及び黒塗装が施されることにより、光を実質的に反射しない非反射面１４ｄＡとなっている。
【００２７】
入射面１４ａに入射される光束を規制する開口部材（マスク１８）がＤＩＳＴ補正レンズ１３と入射面１４ａとの間に設置されている。第三反射面１４ｄは、光軸ＡＸ（図１（ａ）のＺ軸）と直交するＸ軸方向及びＹ軸方向（言い換えると、ＸＹ面内）において、非反射面１４ｄＡの端部（入射面１４ａと接する端部）がマスク１８の開口縁１８ａの内側に入らない（開口縁１８ａよりも光軸ＡＸから離れた位置となる）ように、極僅かな量だけ切削加工されている。例示的には、第三反射面１４ｄは、その有効領域の面と非反射面１４ｄＡとの角度が所定の角度（例えば９°前後）をなすように切削加工されている。
【００２８】
図３（ａ）、図３（ｂ）は、それぞれ、本実施形態、従来のファインダ視野１００に写る情報を示している。図３（ａ）及び図３（ｂ）中の一点鎖線は、撮影者が接眼光学系（カバーガラス１５ｄ）を正面視で覗いたときに見える観察範囲２００を示している。図３（ｂ）の従来例では、正面視時の観察範囲２００にゴーストＧ（倒立逆像であり、図３中ハッチング部分）の一部が写ってしまう。これに対し、図３（ａ）の本実施形態では、ゴースト光の一部が非反射面１４ｄＡにて吸収される。これにより、ゴースト光によるゴーストの発生が無くなり、正面視時の観察範囲２００にゴーストＧが写らなくなる。すなわち、本実施形態によれば、第三反射面１４ｄを介することなくダハ面（第一反射面）１４ｂに入射し反射されたゴースト光に起因するゴーストの発生が抑えられる。
【００２９】
以上が本発明の例示的な実施形態の説明である。本発明の実施形態は、上記に説明したものに限定されず、本発明の技術的思想の範囲において様々な変形が可能である。明細書中に例示的に明示される実施形態等又は自明な実施形態等を適宜組み合わせた内容も本発明の実施形態に含まれる。一例として、ペンタプリズムに代えて、ペンタミラー、三角プリズム又は複数の三角プリズムを組み合わせたポロプリズムを備えるファインダ装置も本発明の範疇である。
【００３０】
上記の実施形態では、スリ加工及び黒塗装を施す際の目印として第三反射面１４ｄの一部が切削加工されている。この切削加工（言い換えると、第三反射面１４ｄの有効領域外をその有効領域に対して角度の付いた面とする点）も、ゴースト光に起因するゴーストの発生を抑えることに寄与するものと考えられる。例えば、切削加工後の切削加工面にスリ加工や黒塗装を施さない場合を考える。この場合、ゴースト光は、切削加工面にて反射される。切削加工面にて反射されたゴースト光は、切削加工面が無い場合と比べて、射出面１４ｅにより近い、入射面１４ａ上の位置で反射される。そのため、ゴースト光の多くがレンズ保持枠１５ｅの絞り１５ｅＡによるケラレによって接眼光学系に到達しない。この結果、ゴースト光に起因するゴーストの発生が抑えられる。
【符号の説明】
【００３１】
１  ファインダ装置
１１  拡散板
１２  透過型液晶モジュール
１３  ＤＩＳＴ補正レンズ
１４  ペンタプリズム
１４ａ  入射面
１４ｂ  ダハ面（第一反射面）
１４ｃ  ダハ面（第二反射面）
１４ｄ  第三反射面
１４ｄＡ  非反射面
１４ｅ  射出面
１５  接眼部
１５ａ  前玉レンズ
１５ｂ  中玉レンズ
１５ｃ  後玉レンズ
１５ｄ  カバーガラス
１５ｅ  レンズ保持枠
１５ｅＡ  絞り
１６  ファインダ内表示用モジュール
１６ａ  ＬＣＤモジュール
１６ｂ  拡大レンズ
１６ｃ  プリズム
１７  測光モジュール
１７ａ  測光センサ
１７ｂ  測光レンズ
１８  マスク
１８ａ  （マスク１８の）開口縁
【図１】
2017191221.tif 000003
【図２】
2017191221.tif 000004
【図３】
2017191221.tif 000005